(57)【要約】      （修正有）【課題】遮光用又は雨避け用のシートの着脱が容易であり、大きさや種類が異なる傘にも簡単に取り付け可能な傘装着シートを提供する。【解決手段】傘装着シートは、本体を構成するシート部材１１と、シート部材１１の上縁部に沿って設けられた弾性伸縮部１１ｅと、シート部材１１の上縁部の複数箇所に所定間隔で設けられた弾性伸縮可能な連結部材１３と、連結部材１３の先端に支持された取付具１２を有する。取付具１２を傘の親骨と傘生地との間に挿入して親骨に係合させる。【選択図】図３
0003190241.tif 000002
【実用新案登録請求の範囲】
【請求項１】
傘の周縁部に取り付け可能な傘装着シートであって、当該傘装着シートは、
傘装着シートの本体を構成するシート部材と、
前記シート部材の上縁部に沿って設けられ、長手方向に弾性伸縮可能な弾性伸縮部と、
前記シート部材の上縁部の複数箇所に所定間隔で設けられた弾性伸縮可能な複数の連結部材と、
前記連結部材の先端に支持され、傘の親骨と傘生地との間に挿入することで前記親骨に係合可能な複数の取付具と、
を有することを特徴とする傘装着シート。
【請求項２】
前記シート部材の一部に、折りたたんだ状態の前記シート部材の外周に巻き掛け可能な収納のための止め輪が取り付けられていることを特徴とする請求項１に記載の傘装着シート。
【請求項３】
前記連結部材がループ状に構成され、前記取付具が当該ループ状の連結部材に沿って可動に取り付けられていることを特徴とする請求項１から３のいずれか１に記載の傘装着シート。
【請求項４】
前記取付具が足付きボタンの形状を成し、前記足付きボタン形状の取付具が、前記連結部材に対してその足を中心として揺動可能とされていることを特徴とする請求項４に記載の傘装着シート。
【請求項５】
前記シート部材が上下方向に二つ折り可能に構成され、かつ、前記シート部材の下縁部に、前記二つ折り状態で前記取付具を通すことができるループが所定間隔で複数設けられていることを特徴とする請求項１から４のいずれか１に記載の傘装着シート。
【考案の詳細な説明】
【技術分野】
【０００１】
本考案は、傘の周縁部に着脱自在に装着する傘装着シートに関する。
【背景技術】
【０００２】
従来、日傘や雨傘の周縁部に日避けシートや雨避けシート等を装着したものが知られている。例えば特許文献１（特開２００３−３３２１１号公報）には、傘の周縁部に面ファスナーによって雨避けシートを取り付けたものが開示されている。
【０００３】
また、特許文献２（特開２０１２−４５０６４号公報）には、傘の露先に取付具を嵌め込むことで日避けシートを取り付けたものが開示されている。
【０００４】
また、特許文献３（実用新案登録第３１０９０６５号公報）には、傘の周縁部に延長用傘布を取り付けたものが開示されている。
【０００５】
また、特許文献４（実用新案登録第３０２４７４０号公報）には、ビーチパラソルの周縁部にブラインド部を取り付けたものが開示されている。
【０００６】
この特許文献４には、ブラインド部の上縁部を傘周縁部に取り付けるための接合手段として、ファスナー、面接合ファスナー、ボタン及びボタン孔、フック及びフック受け、紐及び紐通し孔、磁石等が例示されている。
【先行技術文献】
【特許文献】
【０００７】
【特許文献１】特開２００３−３３２１１号公報
【特許文献２】特開２０１２−４５０６４号公報
【特許文献３】実用新案登録第３１０９０６５号公報
【特許文献４】実用新案登録第３０２４７４０号公報
【考案の概要】
【考案が解決しようとする課題】
【０００８】
しかし、従来の傘装着シートは、シートの着脱が必ずしも容易ではなかった。また、大きさや種類が異なるいろいろな傘に簡単に取り付けられる構造ではなかったので、ユーザにとって必ずしも使い勝手がよくないという課題があった。
【０００９】
そこで本考案の目的は、日避け用又は雨避け用のシートの着脱が容易であり、かつ、大きさや種類が異なるいろいろな傘に簡単に取り付け可能な傘装着シートを提供することにある。
【課題を解決するための手段】
【００１０】
前記課題を解決するために、本考案は、傘の周縁部に取り付け可能な傘装着シートであって、当該傘装着シートは、傘装着シートの本体を構成するシート部材と、前記シート部材の上縁部に沿って設けられ、長手方向に弾性伸縮可能な弾性伸縮部と、前記シート部材の上縁部の複数箇所に所定間隔で設けられた弾性伸縮可能な複数の連結部材と、前記連結部材の先端に支持され、傘の親骨と傘生地との間に挿入することで前記親骨に係合可能な複数の取付具と、を有することを特徴とする傘装着シートである。
【考案の効果】
【００１１】
本考案によれば、シート部材の上縁部に沿って弾性伸縮部を設け、かつ、傘の親骨に係合する取付具の連結部材が弾性伸縮可能とされているので、大きさや種類が異なるいろいろな傘に傘装着シートを簡単に取り付け可能である。また、連結部材が弾性伸縮可能であるから、その先端の取付具を容易に親骨と傘生地との間に挿入することができ、かつ、取付具が連結部材によって適度に引っ張られた状態になるので、親骨に対する取付具の係合が確実である。したがって、傘装着シートの取り付け位置が簡単にずれることがない。
【図面の簡単な説明】
【００１２】
【図１】本考案の実施形態に係る傘装着シートの使用状態（傘取付状態）を正面側から見た斜視図である。
【図２】本考案の実施形態に係る傘装着シートの使用状態（傘取付状態）を側方から見た斜視図である。
【図３】本考案の実施形態に係る傘装着シートの平面展開図である。
【図４Ａ】傘装着シートの取付具を傘の親骨に係合させる方法を示す斜視図である。
【図４Ｂ】傘装着シートの取付具を傘の親骨に沿って位置調整する方法を示す斜視図である。
【図５】傘装着シートの取付具を傘の親骨に係合させる手順を示す図である。
【図６】傘装着シートの収納方法を示す斜視図である。
【図７】（ａ）（ｂ）は折り重ね可能な傘装着シートの変形例を示す傘装着シートの平面展開図である。
【考案を実施するための形態】
【００１３】
以下、図面を参照して本考案の実施形態に係る傘装着シートを説明する。
図１と図２は、日傘２０に対して本考案の実施形態に係る傘装着シート１０を取り付けた使用状態を示す斜視図である。
【００１４】
傘装着シート１０は日避けのために日傘２０の周縁部に取り付けられている。日傘２０の前方側の周縁部の一部は、前方視界確保のため、傘装着シート１０を取り付けていない。したがって、シート部材１１の左右の側縁部１１ａと側縁部１１ｂとの間に、前方視界を確保する開口３０が形成されている。
【００１５】
傘装着シート１０は、図３のように、傘装着シート１０の本体を構成する横長長方形状のシート部材１１を有する。このシート部材１１の長手方向の上縁部１１ｃの７箇所に、ボタン形状の取付具１２が等間隔で取り付けられている。また、シート部材１１の上縁部１１ｃの端部に止め輪１４が取り付けられている。この止め輪１４は、後述するように傘装着シート１０の収納時に使用するものである。なお、「Ａ→Ｂ→Ｃ→Ｄ→Ｅ→Ｆ→Ｇ」の表示は、後述する図５において、傘装着シート１０の取り付け方法を説明するためのものである。
【００１６】
シート部材１１は、可撓性のある各種布帛材や樹脂等の各種シート材で構成することができる。シート部材１１は、この実施形態のように日避け用に使用する場合は、例えば黒色のレース生地で構成することができる。また、シート部材１１の上縁部１１ｃや下縁部１１ｄ等に、必要に応じて装飾用のフリル等を形成することができる。また雨避け用とする場合は、防水性や撥水性を有する図示しない樹脂シート等で構成することができる。
【００１７】
シート部材１１の上縁部１１ｃに沿って、長手方向に弾性伸縮可能な弾性伸縮部１１ｅを構成するために、ゴム紐３２が縫い込まれている。これにより、シート部材１１の上縁部１１ｃが長手方向に弾性伸縮可能とされ、大きさや種類が異なるいろいろな傘に対して傘装着シート１０を簡単に取り付け可能とされている。
【００１８】
また、弾性伸縮部１１ｅにより、傘装着シート１０を日傘２０から取り外した状態では、シート部材１１が長手方向に自然に収縮してコンパクトになるので、傘装着シート１０を折りたたんで収納する際の取り扱い性が良好である。
【００１９】
取付具１２は、詳しくは図４Ａ、図４Ｂに示すように足付きボタンの形状を成し、足部１２ａの通し穴に、ループ状の連結部材１３が通されている。この連結部材１３は弾性伸縮可能な例えばゴムひもによって構成することができる。足部１２ａの通し穴の大きさは、連結部材１３の太さよりもやや余裕を持たせて形成され、取付具１２が連結部材１３に沿って移動可能とされている。
【００２０】
連結部材１３の端部はシート部材１１の上縁に縫い付けられている。取付具１２は、装飾性向上のために、クルミボタン等の形状にしたり、色彩を施したりすることができる。
【００２１】
前記取付具１２を、図４Ａのように露先２３近くの親骨２２と傘生地２１との間に矢印方向にくぐらせて、図４Ｂのように親骨２２に引っ掛ける。図４Ｂの状態では、取付具１２の円盤部１２ｂと連結部材１３によって親骨２２が挟まれた状態になる。
【００２２】
これにより、傘装着シート１０を日傘２０の周縁部に対して位置ずれすることなく取り付けることができる。この際、取付具１２は連結部材１３に対して可動であるから、取付具１２が連結部材１３のループの先端側に自然に移動し、取付具１２の親骨２２に対する係合状態が安定化する。
【００２３】
また、連結部材１３のループは伸縮性があるので、図４Ｂのように、取付具１２を親骨２２に係止した状態において、取付具１２に適度の引張力を作用させることが可能である。これにより、親骨２２と傘生地２１との間における取付具１２の遊びが少なくなり、親骨２２に対する取付具１２の引っ掛かり状態が安定化する。
【００２４】
また、取付具１２は、連結部材１３に対して取付具１２の足部１２ａを中心として揺動可能とされている。このため、前記のように連結部材１３の伸縮性によって取付具１２に適度の引張力が作用した状態において、取付具１２の円盤部１２ｂが連結部材１３に対して直角になろうとすることで、親骨２２に対する係合状態が安定化する。
【００２５】
また、取付具１２は親骨２２の長手方向に沿ってスライド調整可能であり、シート部材１１の上縁部１１ｃの上下方向の高さ調整が容易である。したがって、傘生地２１の周縁部と傘装着シート１０との間に隙間が出来る場合は、図４Ｂで矢印方向に取付具１２をスライド移動させるとよい。これにより、当該隙間からの日差しを防ぐことができる。
【００２６】
図５は日傘２０を下側から見た図であり、親骨２２が８本の日傘２０に対して傘装着シート１０の取付具１２を取り付ける順番を示している。図３の取付具１２をＡ→Ｂ→Ｃ→Ｄ→Ｅ→Ｆ→Ｇの順に図５のように取り付けていく。図示例では時計回りに取付具１２を取り付ける例を示しているが、この反対の反時計回りに取付具１２を取り付けてもよい。
【００２７】
図示するＡの箇所に取付具１２を最初に取り付ける際、前記止め輪１４を利用して、傘装着シート１０をＡの箇所の露先２３に仮止めするようにしてもよい。これにより、片手で日傘２０の手元を持った状態で、反対側の手で傘装着シート１０の取付具１２を容易に親骨２２に係合させることができる。
【００２８】
図５の例では、８本の親骨２２のうち、ＡとＧの間の親骨２２には傘装着シート１０を取り付けていない。このように親骨２２の１本だけを残して傘装着シート１０を取り付けることにより、約９０°の前方視界を確保することができる。
【００２９】
さらに広い前方視界を確保したい場合は、図５でＡ又はＧの位置の取付具１２を外し、シート部材１１の端をＢ又はＦの位置で反対側に折り返し、取付具１２をＡ→Ｃ又はＧ→Ｅのように付け替える。こうすることで、前方視界を簡単に広げることが可能である。また、このように取付具１２の取り付け方を変えることにより、大きさや種類が異なるいろいろな傘に対して傘装着シート１０を簡単に取り付けることができるようになる。
【００３０】
傘装着シート１０は、日傘２０から取り外してバックや鞄等の中に簡単に収納することができる。この場合、図６のように、傘装着シート１０を例えば筒状に巻き、止め輪１４を当該筒状の端から掛けることにより、傘装着シート１０をバック４０にコンパクトに収納することができる。止め輪１４を弾性伸縮可能なゴムひも等で構成することで、前記筒状の周囲に掛けやすくなる。
【００３１】
このように、傘装着シート１０を筒状に巻くと、傘装着シート１０の持ち運びが容易であり、かつ、必要時はバック４０等の中から取り出して展開することで簡単に日傘２０に装着することができる。
【００３２】
以上、本考案の実施形態について説明したが、本考案は前記実施形態に限定されることなく、実用新案登録請求の範囲に記載された技術的思想の範囲内で種々の変形が可能である。
【００３３】
例えば、前記実施形態は日傘２０に装着する日避除け用の傘装着シート１０の例を示したが、本考案の傘装着シート１０は雨避け用にして雨傘にも装着可能である。雨避け用とする場合は、シート部材１１を防水性や撥水性を有する樹脂シート等で構成するとよい。これにより、傘装着シート１０で横方向からの雨を避けることができる。
【００３４】
また、前記実施形態では取付具１２として足付きボタン形状のものを使用したが、当該取付具１２は親骨２２と傘生地２１との間に挿入して親骨２２に係合可能であればよいので、足付きボタン形状に限られない。親骨２２に係合可能なフック状、クリップ状等の各種形状を採用可能である。
【００３５】
また、弾性伸縮可能な連結部材１３の材質は、ゴムひもの他に、伸縮生地やスプリング等で構成することも可能である。また、傘装着シート１０の周方向の長さや丈は必要に応じて変更可能であり、周方向長さを変える場合はそれに合わせて取付具１２の個数も増減させればよい。
【００３６】
また、図７（ａ）のように、シート部材１１を破線で示す中間高さ位置を境にして上下方向に二つ折り可能に構成してもよい。この場合、シート部材１１の下縁部１１ｄに、図７（ｂ）のように、連結部材１３と同数の係合用のループ１５を等間隔に取り付けておく。二つ折りにして使用する場合は、下縁部１１ｄのループ１５に上縁部１１ｃの取付具１２を通した状態で日傘２０に装着する。このようにシート部材１１を二つ折り可能に構成することで、その丈を長短２通りで使い分けることが出来る。
【符号の説明】
【００３７】
１０  傘装着シート
１１  シート部材
１１ｃ         上縁部
１１ｄ         下縁部
１１ｅ         弾性伸縮部
１２  取付具
１２ａ         足部
１２ｂ         円盤部
１３  連結部材
１４  止め輪
１５  ループ
２０  日傘
２１  傘生地
２２  親骨
２３  露先
３０  開口
３２  ゴム紐
４０  バック
【図１】
0003190241.tif 000003
【図２】
0003190241.tif 000004
【図３】
0003190241.tif 000005
【図４Ａ】
0003190241.tif 000006
【図４Ｂ】
0003190241.tif 000007
【図５】
0003190241.tif 000008
【図６】
0003190241.tif 000009
【図７】
0003190241.tif 000010
【手続補正書】
【提出日】平成26年2月19日(2014.2.19)
【手続補正１】
【補正対象書類名】実用新案登録請求の範囲
【補正対象項目名】請求項３
【補正方法】変更
【補正の内容】
【請求項３】
前記連結部材がループ状に構成され、前記取付具が当該ループ状の連結部材に沿って可動に取り付けられていることを特徴とする請求項１又は２に記載の傘装着シート。
【手続補正２】
【補正対象書類名】実用新案登録請求の範囲
【補正対象項目名】請求項４
【補正方法】変更
【補正の内容】
【請求項４】
前記取付具が足付きボタンの形状を成し、前記足付きボタン形状の取付具が、前記連結部材に対してその足を中心として揺動可能とされていることを特徴とする請求項３に記載の傘装着シート。